(57)【特許請求の範囲】
【請求項１】
装着対象物５に固定されるスタンド本体１にポール３が抜き差しされるポール受孔２を形成し、ポール３の周面に圧接してポール３を挿入位置に保持する弾性キーパー４をスタンド本体１に装備した旗等のポール用スタンドにおいて、
弾性キーパー４を操作軸部４ａと羽根板部４ｂによって構成し、操作軸部４ａをポール受孔２に隣接交差させてスタンド本体１に回転可能に装着し、羽根板部４ｂを操作軸部４ａの回転角度に応じてポール３の周面に圧接させるようにしたことを特徴とする旗等のポール用スタンド。
【請求項２】
羽根板部４ｂを操作軸部４ａの長さ方向に沿って形成し、操作軸部４ａの先端部側において羽根板部４ｂを操作軸部４ａに連結形成し、操作軸部４ａの基端部側に向かうほど羽根板部４ｂが操作軸部４ａより離れるように羽根板部４ｂを傾斜配置し、スタンド本体１の一方の側壁部の軸受孔６から他方の側壁部の軸受孔７に操作軸部４ａを嵌め込み装着するとき、羽根板部４ｂを操作軸部４ａの側面に向かって弾性変形させて軸受孔６を通過させ、操作軸部４ａの先端部が軸受孔７に嵌められて羽根板部４ａがスタンド本体１の空洞部８内に収容されたとき、弾性復元した羽根板部４ｂの先端部が空洞部８の内壁面８ａに対面するようにしたことを特徴とする請求項１に記載のポール用スタンド。
【請求項３】
複数枚の羽根板部４ｂを操作軸部４ａの側面に回転方向に間隔を置いて形成し、これら羽根板部４ｂの操作軸部４ａに対する傾斜角度に差を設定したことを特徴とする請求項１または請求項２に記載のポール用スタンド。
【請求項４】
複数枚の羽根板部４ｂを操作軸部４ａの側面に回転方向に間隔を置いて形成し、これら羽根板部４ｂの有効厚さに差を設定したことを特徴とする請求項１または請求項２に記載のポール用スタンド。
【発明の詳細な説明】
【０００１】
【発明が属する技術分野】
旗や標識類のポールを建物やバス車体あるいは機器設備などの装着対象物に装着するためのポール用スタンドに関するものである。
【０００２】
【従来の技術】
単純なポール用スタンドとしては、装着対象物に固定されるスタンド本体に垂直または斜めのポール受孔を形成し、このポール受孔にポールの下端部を挿入するものがある。
このポール用スタンドにおいては、ポールの着脱操作はすこぶる簡単になされるのであるが、建物外部や屋外設備あるいはバス車体といった旗や標識に風を受ける所では、風に煽られてポールがスタンド本体のポール受孔から抜脱する危険性がある。
【０００３】
この抜脱の危険性を回避するために、ポール受孔の半径方向に進退する止めネジをスタンド本体に装着し、ポール受孔にポール１を挿入した後、止めネジを回して止めネジの先端部でポール周面を突き押し、ポールをポール受孔の内面に押し付け固定するようにしたものも提案されている。
しかしながら、このポール用スタンドでは、止めネジを何回も回転操作する必要があるため、ポールの着脱操作に手間取るものであった。
【０００４】
【発明が解決しようとする課題】
したがって本発明の課題は、旗や標識類のポールの着脱が簡単な操作によって的確になされるポール用スタンドを提供することである。
【０００５】
【課題を解決するための手段】
以下、添付図面中の参照符号を用いて説明すると、請求項１の発明の特徴は、装着対象物５に固定されるスタンド本体１にポール３が抜き差しされるポール受孔２を形成し、ポール３の周面に圧接してポール３を挿入位置に保持する弾性キーパー４をスタンド本体１に装備した旗等のポール用スタンドにおいて、弾性キーパー４を操作軸部４ａと羽根板部４ｂによって構成し、操作軸部４ａをポール受孔２に隣接交差させてスタンド本体１に回転可能に装着し、羽根板部４ｂを操作軸部４ａの回転角度に応じてポール３の周面に圧接させることである。
【０００６】
請求項２の発明の特徴は、請求項１の発明の前記構成に加えて、羽根板部４ｂを操作軸部４ａの長さ方向に沿って形成し、操作軸部４ａの先端部側において羽根板部４ｂを操作軸部４ａに連結形成し、操作軸部４ａの基端部側に向かうほど羽根板部４ｂが操作軸部４ａより離れるように羽根板部４ｂを傾斜配置し、スタンド本体１の一方の側壁部の軸受孔６から他方の側壁部の軸受孔７に操作軸部４ａを嵌め込み装着するとき、羽根板部４ｂを操作軸部４ａの側面に向かって弾性変形させて軸受孔６を通過させ、操作軸部４ａの先端部が軸受孔７に嵌められて羽根板部４ａがスタンド本体１の空洞部８内に収容されたとき、弾性復元した羽根板部４ｂの先端部を空洞部８の内壁面８ａに対面させることである。
【０００７】
請求項３の発明の特徴は、請求項１または請求項２の発明の前記構成に加えて、複数枚の羽根板部４ｂを操作軸部４ａの側面に回転方向に間隔を置いて形成し、これら羽根板部４ｂの操作軸部４ａに対する傾斜角度に差を設定することである。
【０００８】
請求項４の発明の特徴は、請求項１または請求項２の発明の前記構成に加えて、複数枚の羽根板部４ｂを操作軸部４ａの側面に回転方向に間隔を置いて形成し、これら羽根板部４ｂの有効厚さに差を設定することである。
【０００９】
【発明の作用】
請求項１の発明では、ポール受孔２に隣接交差した弾性キーパー４の操作軸部４ａを回すことによって、弾性キーパー４の羽根板部４ｂがポール３の周面に圧接するため、ポール３は羽根板部４ｂの弾性力によって当初の挿入位置に的確に保持され、旗や標識が風に煽られてもポール３がスタンド本体１から抜け出ることがない。操作軸部４ａの回転は一回転以下の少ない角度である。
【００１０】
請求項２の発明では、請求項１の発明の前記作用に加えて、スタンド本体１の一方の側壁部の軸受孔６から他方の側壁部の軸受孔７に操作軸部４ａを嵌め込み装着するとき、軸受孔７の孔縁部に押されて羽根板部４ｂが操作軸部４ａの側面に向かって倒れるように弾性変形し、羽根板部４ｂが該軸受孔６を通過して、操作軸部４ａの先端部が軸受孔７に嵌められたとき、羽根板部４ａが拡開方向に弾性復元して、羽根板部４ｂの先端部が空洞部８の内壁面８ａに対面する。これによって弾性キーパー４はスタンド本体１からの抜き取りを阻止され、両者の組立が完結する。
【００１１】
請求項３の発明では、請求項１または請求項２の発明の前記作用に加えて、複数枚の羽根板部４ｂを操作軸部４ａの側面に回転方向に間隔を置いて形成し、これら羽根板部４ｂの操作軸部４ａに対する傾斜角度に差を設定してあるため、どの羽根板部４ｂをポール３に圧接させるかによって、弾性保持力が変更され、ポール３を強く締付けたり、緩く締付けたりすることができる。
【００１２】
請求項４の発明では、請求項１または請求項２の発明の前記作用に加えて、複数枚の羽根板部４ｂを操作軸部４ａの側面に回転方向に間隔を置いて形成し、これら羽根板部４ｂの有効厚さに差を設定してあるため、どの羽根板部４ｂをポール３に圧接させるかによって、弾性保持力が変更され、ポール３を強く締付けたり、緩く締付けたりすることができる。
【００１３】
【発明の実施の形態】
図示の実施例では、スタンド本体１と弾性キーパー４はプラスチック製であり、ポール受孔２は斜めに形成されている。スタンド本体１の上下張り出し端部１ａ，１ｂには前後方向に貫通したビス受孔１０が形成されている。上下２個使用されたマグネット９は、断面Ｕ字状のヨーク１１に嵌められて、ビス１２によってスタンド本体１に固着されている。弾性キーパー４の操作軸部４ａの先端部は丸棒状に形成され、操作軸部４ａの主体部分は断面矩形に形成されている。操作軸部４ａの円盤状基端部は、スタンド本体１の一方の側壁部の軸受孔６に回転可能に嵌められ、軸受孔６は軸受孔７よりも大径に形成されている。操作軸部４ａの前記基端部には摘み部４ｄが連結形成されている。
【００１４】
ポール受孔２の下方部分の内壁部には、一定長さにわたって開口部１３が形成され、この開口部１３はスタンド本体１の空洞部８に連通している。ポール受孔２の下端部には底壁２ａが形成され、ポール３の下端面を支持している。
羽根板部４ｂは１８０度間隔に二枚形成されており、一方の羽根板部４ｂの外面には隆起部４ｃが形成されており、これによって羽根板部４ｂの有効厚さが大きくなっている。
中立位置（羽根板部がポールに圧接していない抜き差し位置）から弾性キーパー４を一方向に９０度回すと、前記隆起部４ｃのある羽根板部４ｂがポール３の周面に圧接するため、ポール３は強く締付け固定される。
前記中立位置から反対方向に弾性キーパー４を９０度回すと、隆起部４ｃのない羽根板部４ｂがポール３の周面に圧接するため、ポール３は緩く締付けられる。
本実施例では、組立時の便宜のために前記軸受孔６の孔縁部には、隆起部４ｃが通過する切欠部を形成してある。
【００１５】
【発明の効果】
以上のように請求項１の発明のポール用スタンドでは、弾性キーパー４の操作軸部４ａをポール受孔２に隣接交差させてスタンド本体１に回転可能に装着し、弾性キーパー４の羽根板部４ｂを操作軸部４ａの回転角度に応じてポール３の周面に圧接させるようにしたので、操作軸部４ａを所定角度回すことによって羽根板部４ｂが所定量だけ弾性変形することになり、必要充分な弾性力によってポール３を当初の挿入位置に的確に保持することができる。
また、操作軸部４ｂを逆回転させれば、羽根板部４ｂとポール３との間の押し付け力が直ちに解除され、ポール３のスタンド本体１からの抜き取りが円滑に行えるため、旗や標識などの着脱操作が簡単に行える。
【００１６】
請求項２の発明では、請求項１の発明の前記効果に加えて、操作軸部４ａの先端部側において羽根板部４ｂを操作軸部４ａに連結し、操作軸部４ａの基端部側に向かうほど羽根板部４ｂが操作軸部４ａより離れるように羽根板部４ｂを傾斜配置してあり、スタンド本体１の一方の側壁部他方の側壁部に操作軸部４ａを嵌め込むとき、羽根板部４ｂを操作軸部４ａの側面に向かって弾性変形させて一方の側壁部の軸受孔６を通過させ、操作軸部４ａの先端部が他方の側壁部の軸受孔７に嵌って羽根板部４ａが空洞部８内に収容されたとき、羽根板部４ｂが弾性復元するようにしたものであり、拡開した羽根板部４ｂの先端部が空洞部８の内壁面８ａに対面することによって、弾性キーパー４のスタンド本体１からの抜脱が阻止されるものであるから、組立がワンタッチ操作によって簡単に行える。
また、操作軸部４ａの回転角度の増減によって羽根板部４ｂとポール周面との接触点が羽根板部４ｂの長さ方向に移動し、これによって羽根板部４ｂの弾性変形量が増減させられるため、ポール３の保持力を増減変更することができ、あるいはまた、挿入するポール３の外径に多少の差異があっても、それを吸収補償して必要充分な保持力を確保することができる。
【００１７】
請求項３の発明では、請求項１または請求項２の発明の前記効果に加えて、複数枚の羽根板部４ｂを操作軸部４ａの側面に回転方向に間隔を置いて形成し、各羽根板部４ｂの操作軸部４ａに対する傾斜角度に差を設定してあるので、操作軸部４ａの回転角度の変更によってポール３の周面に圧接する羽根板部４ｂを変更させることによって、必要に応じてポール３の保持力を増減変更することができ、あるいはまた、外径の異なるポール３においても必要充分な保持力を安定に確保することができる。
【００２３】
請求項４の発明では、請求項１または請求項２の発明の前記効果に加えて、複数枚の羽根板部４ｂを操作軸部４ａの側面に回転方向に間隔を置いて形成し、各羽根板部４ｂの有効厚さに差を設定してあるので、操作軸部４ａの回転角度の変更によってポール３の周面に圧接する羽根板部４ｂを変更させることによって、必要に応じてポール３の保持力を増減変更することができ、あるいはまた、外径の異なるポール３においても必要充分な保持力を安定に確保することができる。
【図面の簡単な説明】
【図１】  本発明の一実施例に係るポール用スタンドの正面図である。
【図２】  図１のポール用スタンドの背面図である。
【図３】  図１のポール用スタンドの平面図である。
【図４】  図１のポール用スタンドの左側面図であり、ポールの挿入状態を示している。
【図５】  図１のＡ-Ａ線断面図である。
【図６】  図１のＢ−Ｂ線断面図である。
【図７】  ポール挿入状態における図６に相当した断面図である。
【符号の説明】
１  スタンド本体
２  ポール受孔
３  ポール
４  弾性キーパー
４ａ  弾性キーパーの操作軸部
４ｂ  弾性キーパーの羽板部
５  装着対象物
６  軸受孔
７  軸受孔
８  空洞部
９  マグネット
１０  ビス受孔
【図１】
0003640928.tif 000002
【図２】
0003640928.tif 000003
【図３】
0003640928.tif 000004
【図４】
0003640928.tif 000005
【図５】
0003640928.tif 000006
【図６】
0003640928.tif 000007
【図７】
0003640928.tif 000008